(57)【要約】【課題】筐体を構成するカバー部材の側面に連通孔を形成し、連通孔を介して外部へ接続端子を露出させる充電端子などの携帯電子機器において、接続端子と、連通孔を含むカバー部材の内面との当接状態を良好にすると共に、筐体への接続端子の組み込みが容易な携帯電子機器を提供すること。【解決手段】筐体２を構成するカバー部材２ｂの外面１０１に形成される外面穴１０３と内面１０２に形成される内面穴１０４とを連通させる連通孔１００と、内面穴１０４を含む所定領域に形成され筐体２の内部側に突出する突出部１０５と、突出部１０５に当接される当接面５８を有する接続端子部５１と、連通孔１００に略平行に対向して配置され突出部１０５から離間する方向への接続端子部５１の移動を規制する第１規制部５４と、内面１０２側に向かって延びると共に、端面５５ａが当接面５８よりも内面１０２側に突出するように配置される第２規制部５５と、を備える。【選択図】図５
2010154202.tif 000002
【特許請求の範囲】
【請求項１】
筐体を構成するカバー部材と、
前記カバー部材に形成され前記カバー部材の外面に形成される外面穴と内面に形成される内面穴とを連通させる連通孔と、
前記カバー部材の内面における前記内面穴を含む所定領域に形成され、前記筐体の内部側に突出する突出部と、
前記内面穴に対向して配置されると共に、前記突出部に当接される当接面を有する接続端子部と、
前記接続端子部を介して前記連通孔に略平行に対向して配置され前記突出部から離間する方向への前記接続端子部の移動を規制する第１規制部と、
前記カバー部材における内面側に向かって延びると共に、端面が前記接続端子部における前記当接面よりも前記カバー部材における内面側に突出するように配置される第２規制部と、を備える携帯電子機器。
【請求項２】
前記接続端子部は、前記当接面を有する接続端子と、前記接続端子に固定されるフレキシブル配線基板とを有する請求項１記載の携帯電子機器。
【請求項３】
前記第１規制部は、前記接続端子部を前記突出部側へ押圧する弾性力を有する弾性部材である請求項１又は２に記載の携帯電子機器。
【請求項４】
前記突出部に連続して形成される傾斜部を備え、
前記カバー部材は、一方の外面と、前記一方の外面に対向する他方の外面と、前記一方の外面と前記他方の外面とに連続して形成される壁部とを有して構成された直方体状であり、
前記突出部は、前記壁部における内面に形成され、
前記傾斜部は、前記壁部の内面における前記突出部の前記一方の外面側に形成され、前記突出部側から前記一方の外面側に向かうにしたがって前記壁部の厚さ方向において前記当接面から離間するように傾斜する請求項１から３のいずれかに記載の携帯電子機器。
【発明の詳細な説明】
【技術分野】
【０００１】
本発明は、携帯電話機等の携帯電子機器に関する。
【背景技術】
【０００２】
従来より、携帯電子機器としての携帯電話機において、携帯電話機の内部には、携帯電話機への電源供給用の充電池が搭載されており、携帯電話機を充電台（充電器）の所定位置に載置することにより、携帯電話機に搭載された充電池への充電が行われる。このため、携帯電話機には、充電器側の端子部に電気的に接触可能な充電用の充電端子が備えられている。
【０００３】
充電端子は、携帯電話機の外部に露出されるように構成される。この構成は、例えば、携帯電話機の筐体を構成するカバー部材の側面に孔を形成し、充電端子をカバー部材の側面に沿ってカバー部材の内側に組み込み、前記孔を含むカバー部材の側面に充電端子を当接させることにより実現される。ここで、充電端子とカバー部材との当接部位は、防塵、防水などの観点から、隙間を形成しない構造とする必要がある。
そのため、カバー部材の内部における位置を決める位置決め部材に充電端子を固定した後に、充電端子と位置決め部材とを一体としてカバー部材の内側に組み込むことにより、充電端子をカバー部材に当接させる場合がある。
【０００４】
一方、部材の寸法のばらつきにより充電端子とカバー部材の内面との間に隙間が形成される可能性がある。これを防止するために、ばね部材などの弾性部材により充電端子をカバー部材の内面に押圧させることにより、部材間の寸法のばらつきを吸収して、カバー部材と充電端子との間の当接状態を良好にする技術が提案されている（例えば、特許文献１参照）。
【特許文献１】特開２００８−１１３３３２号公報
【発明の開示】
【発明が解決しようとする課題】
【０００５】
しかし、携帯電話機のカバー部材の側面に沿って、充電端子を位置決め部材と一体として組み込むことにより、カバー部材の内面に充電端子を当接させる構成とすると、カバー部材に充電端子を組み込む際に、充電端子がカバー部材の側面を形成する壁部に接触し、組み込み難い可能性がある。また、充電端子をカバー部材の壁部に接触させないように組み込なければならず、組み込み作業が煩雑となる可能性がある。
この組み込み作業時の問題は、前述の携帯電話機の場合だけでなく、携帯電話機以外の携帯電子機器において生じる可能性がある。
【０００６】
本発明は、筐体を構成するカバー部材の側面に連通孔を形成し、連通孔を介して外部へ充電端子などの接続端子を露出させる携帯電子機器において、接続端子と、連通孔を含むカバー部材の内面との当接状態を良好にすると共に、筐体への接続端子の組み込みが容易な携帯電子機器を提供することを目的とする。
【課題を解決するための手段】
【０００７】
本発明は、筐体を構成するカバー部材と、前記カバー部材に形成され前記カバー部材の外面に形成される外面穴と内面に形成される内面穴とを連通させる連通孔と、前記カバー部材の内面における前記内面穴を含む所定領域に形成され、前記筐体の内部側に突出する突出部と、前記内面穴に対向して配置されると共に、前記突出部に当接される当接面を有する接続端子部と、前記接続端子部を介して前記連通孔に略平行に対向して配置され前記突出部から離間する方向への前記接続端子部の移動を規制する第１規制部と、前記カバー部材における内面側に向かって延びると共に、端面が前記接続端子部における前記当接面よりも前記カバー部材における内面側に突出するように配置される第２規制部と、を備える携帯電子機器に関する。
【０００８】
また、前記接続端子部は、前記当接面を有する接続端子と、前記接続端子に固定されるフレキシブル配線基板とを有するものも含むものとする。
【０００９】
また、前記第１規制部は、前記接続端子部を前記突出部側へ押圧する弾性力を有する弾性部材であることが好ましい。
【００１０】
また、前記突出部に連続して形成される傾斜部を備え、前記カバー部材は、一方の外面と、前記一方の外面に対向する他方の外面と、前記一方の外面と前記他方の外面とに連続して形成される壁部とを有して構成された直方体状であり、前記突出部は、前記壁部における内面に形成され、前記傾斜部は、前記壁部の内面における前記突出部の前記一方の外面側に形成され、前記突出部側から前記一方の外面側に向かうにしたがって前記壁部の厚さ方向において前記当接面から離間するように傾斜することが好ましい。
【発明の効果】
【００１１】
本発明によれば、筐体を構成するカバー部材の側面に連通孔を形成し、連通孔を介して外部へ充電端子などの接続端子を露出させる携帯電子機器において、接続端子と、連通孔を含むカバー部材の内面との当接状態を良好にすると共に、筐体への接続端子の組み込みが容易な携帯電子機器を提供することができる。
【発明を実施するための最良の形態】
【００１２】
以下、図面を参照して本発明を実施するための最良の形態を説明する。
図１により、本発明の携帯端電子機器に係る携帯電話機１における基本構造を説明する。図１は、本発明の携帯電話機１を開いた状態を示す外観斜視図である。
【００１３】
図１に示すように、携帯電話機１は、第１筐体としての操作部側筐体２と、第２筐体としての表示部側筐体３とを備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことで開閉状態を形成可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態をいい、開状態とは、両筐体が互いに重ならないように配置された状態をいう。
【００１４】
操作部側筐体２は、その外面がフロントケース２ａとリアケース２ｂとにより構成される。操作部側筐体２は、フロントケース２ａ側に、操作キー群１１と、携帯電話機１の使用者が通話時に発した音声が入力されるマイクとしての音声入力部１２とが、それぞれ露出するように構成される。
【００１５】
操作キー群１１は、各種設定や電話帳機能やメール機能等の各種機能を作動させるための第１キー操作部としての機能設定操作キー１３と、電話番号の数字やメール等の文字等を入力するための入力操作キー１４と、各種操作における決定や上下左右方向のスクロール等を行う操作部材としての決定操作キー１５とにより構成される。決定操作キー１５は、第２キー操作部としての環状キー１６と、環状の中央部に形成される中央キー１７とにより構成される。操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００１６】
音声入力部１２は、操作部側筐体２の長手方向における連結部４側とは反対の外端部（下端部）側に配置される。つまり、音声入力部１２は、携帯電話機１が開状態において一方の外端部側に配置される。
【００１７】
操作部側筐体２における一方側の側面には、外部機器（例えば、ホスト装置）と通信を行うためのインターフェース（図示せず）と、充電機器から充電可能な外部に露出される接続端子としての充電端子５０が配置される。インターフェースは、不使用時にはキャップ１９により覆われる。操作部側筐体２の他方側の側面には、一方側の側面に配置される充電端子５０と対をなす充電端子（図示せず）と、所定の機能が割り当てられているサイドキーと、外部メモリの挿入及び取り出しが行われるインターフェース（図示せず）とが配置される。
【００１８】
表示部側筐体３は、その外面がフロントケース３ａとリアケース３ｂとにより構成される。表示部側筐体３におけるフロントケース３ａには、各種情報を表示するための表示部２１と、通話の相手側の音声を出力するレシーバとしての音声出力部２２とが、それぞれ露出して配置される。ここで、表示部２１は、液晶パネル、この液晶パネルを駆動する駆動回路、この液晶パネルの背面側から光を照射するバックライト等の光源部などから構成される。
【００１９】
次いで、図１から図８により、操作部側筐体２の内部構造について説明する。図２は、操作部側筐体２の長手方向における連結部４側とは反対の外端部（下端部）側の一方側の側面における内蔵される部分の分解斜視図である。図３は、図２における操作部側筐体２に構成部材を内蔵した状態を示す斜視図である。図４は、図３における操作部側筐体２の正面側から見た図である。図５は、図４に示すＡ−Ａ線断面図である。図６は、図４に示すＢ−Ｂ線断面図である。図７は、図２における操作部側筐体２の内面側から視た斜視図である。図８（Ａ）から（Ｃ）は、充電端子部を操作部側筐体２に組み付ける際の過程を示す図である。
【００２０】
なお、図２から図８においては、操作部側筐体２の内部の構成部材について、図１におけるフロントケース２ａを省略して示すと共に、回路基板７０、充電端子部５１、充電端子部５１を保持する保持部材５２、第１規制部５４、第２規制部５５などのみを示している。
【００２１】
図１に示すように、操作部側筐体２は、カバー部材として機能し、その外面がフロントケース２ａとリアケース２ｂとにより構成される。
図２に示すように、リアケース２ｂは、その外形が厚さの薄い略直方体形状に形成される。リアケース２ｂは、リアケース２ｂの背面を形成する平面部２０１と、リアケース２ｂの側面を形成する壁部２０２とを備える。平面部２０１は、方形板状に形成される。壁部２０２は、平面部２０１の外周縁に平面部２０１に対して直交に起立して形成される。壁部２０２は、所定の高さ寸法に形成され、リアケース２ｂの開口部を形成する。図１に示すように、フロントケース２ａは、リアケース２ｂの平面部２０１の内面側に対向するように配置されて、リアケース２ｂの開口部を被覆している。
【００２２】
図２から図６に示すように、操作部側筐体２の一方側の壁部２０２の側面及び他方側の壁部の側面（図示せず）には、それぞれ、リアケース２ｂの外面１０１と内面１０２とを連通させる連通孔１００が形成される。連通孔１００は、リアケース２ｂの外面１０１に形成される長方形状の外面穴１０３と、内面１０２に形成される長方形状の内面穴１０４とが連通することにより形成される。連通孔１００は、壁部２０２の側面の高さ寸法の中央の位置に形成されると共に、図１に示すように、リアケース２ｂの長手方向における連結部４側とは反対の外端部（下端部）側に形成される。
【００２３】
図７に示すように、リアケース２ｂの壁部２０２の内面には、連通孔１００の内面穴１０４を含む所定領域に、リアケース２ｂの内部側に突出する突出部１０５が形成される。
図５及び図７に示すように、突出部１０５（リアケース２ｂの内部側の面）は、リアケース２ｂの内面１０２からリアケース２ｂの内部側の方向に所定の厚さ突出している。突出部１０５は、リアケース２ｂの外面１０１及び内面１０２と平行に形成される長方形の面部１０５ａを有している。面部１０５ａは、リアケース２ｂの内面穴１０４を含む領域からリアケース２ｂの平面部２０１まで形成される。
【００２４】
図３から図５に示すように、リアケース２ｂとフロントケース（図示せず）との間には、リアケース２ｂの背面を形成する平面部２０１に対して平行に配置される回路基板７０と、充電池（図示せず）と、充電池に接続される接続端子部としての充電端子部５１と、充電端子部５１の位置を規制する第１規制部５４及び第２規制部５５とが内蔵されている。
【００２５】
回路基板７０には、メインアンテナ部やサブアンテナ部が送受信する信号を処理する信号処理部を含む各種電子部品や回路が配置される。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００２６】
充電池は、携帯電話機１の電源として用いられ、前記電源回路は、充電池から供給される電源電圧を所定の電圧値に変圧し、変圧後の電源電圧を通信部や処理部等に供給する。
【００２７】
図２に示すように、充電端子部５１は、直方体状の充電端子５０と、充電端子５０の一方の面５０ａを保持固定する方形薄板状のフレキシブル配線基板５６とを備えている。図５に示すように、フレキシブル配線基板５６の一方の端部には、フレキシブル配線５７が接続されている。充電端子５０は、フレキシブル配線基板５６及びフレキシブル配線５７を介して携帯電話機１に内蔵される充電池（図示せず）に電気的に接続される。
【００２８】
図４及び図５に示すように、充電端子５０の一方の面５０ａに対向する他方の面５０ｂは、導電性の当接面５８を有している。当接面５８は、リアケース２ｂに形成される連通孔１００の内面穴１０４に対向して配置されると共に、リアケース２ｂの内面１０２に形成される突出部１０５に対して平行に当接する。当接面５８は、充電端子５０の一部を構成し、連通孔１００を介してリアケース２ｂの外部へ露出されることにより、外部の充電機器（図示せず）に電気的に接続可能に構成される。
【００２９】
図４及び図５に示すように、本実施形態の携帯電話機１は、充電端子部５１を突出部１０５側へ押圧する弾性力を有する弾性部材からなる第１規制部５４と、充電端子部５１のリアケース２ｂの壁部２０２への接触を防止する第２規制部５５とを備えている。
第１規制部５４は、長方形状の平板状の弾性部材により構成される。第１規制部５４は、充電端子部５１を介して連通孔１００に略平行に対向して配置され、突出部１０５から離間する方向への充電端子部５１の移動を規制する。
充電端子部５１は、充電端子５０の一方の面５０ａにおいて、第１規制部５４を介して保持部材５２に保持される。保持部材５２は、長方形状の平板状に形成され、充電端子部５１の組み込み方向Ｘ（図５及び図６参照）及び充電端子部５１の当接面５８に対して平行に配置される。
【００３０】
図４及び図５に示すように、第１規制部５４は、充電端子部５１を内面穴１０４を含む突出部１０５に押圧する。第１規制部５４は、リアケース２ｂの突出部１０５と第１規制部５４との間に充電端子部５１を挟み込むように連通孔１００の内面穴１０４に対して略平行に配置される。
【００３１】
充電端子部５１は、フレキシブル配線基板５６の裏面側において接着部材（図示せず）を介して第１規制部５４に接着固定される。第１規制部５４は、充電端子部５１が固定される反対の面において接着部材を介して保持部材５２に接着固定される。第１規制部５４は、弾性部材としてのクッション性を有するスポンジ材により形成されている。弾性部材の厚さは、例えば、０．１から０．３ｍｍである。
【００３２】
図２に示すように、第２規制部５５は、保持部材５２の両端部において、保持部材５２に連続して立設されて形成される。第２規制部５５は、保持部材５２からリアケース２ｂにおける壁部２０２の側面の内面１０２側に向かって延びるように保持部材５２に対して直交するように形成され、充電端子部５１を挟んだ両側に２つ配置される。
図４に示すように、第２規制部５５は、所定の厚さ寸法からなる方形板状に形成される。図６に示すように、第２規制部５５は、第２規制部５５の端面５９が充電端子部５１における当接面５８よりもリアケース２ｂにおける内面１０２側に突出するように配置される。第２規制部５５の端面５９は、リアケース２ｂに近接又は当接する位置に配置され、これにより、充電端子部５１がリアケース２ｂの壁部２０２の側面に接触する方向へ移動することが規制される。第２規制部５５により、充電端子部５１はリアケース２ｂの壁部２０２の側面に接触しないように配置される。
【００３３】
更に、図２に示すように、本実施形態の携帯電話機１は、リアケース２ｂに組み込む際に、リアケース２ｂ側への充電端子部５１の組み込み位置を決める大径円筒部材６０と、リアケース２ｂ側に固定される小径円筒部材６１とを備えている。大径円筒部材６０は、保持部材５２及び第２規制部５５に連続して一体的に形成される。大径円筒部材６０を小径円筒部材６１に係止させることにより、保持部材５２、保持部材５２に固定された第１規制部５４、第１規制部５４に固定された充電端子部５１、及び保持部材５２に連続して形成された第２規制部５５を、一体としてリアケース２ｂの内側に容易に組み込むことができる。
【００３４】
図７に示すように、リアケース２ｂの突出部１０５が形成される壁部２０２の端面の内面１０２側には、切り欠き部１０６が形成される。切り欠き部１０６は、リアケース２ｂの壁部２０２の厚さ方向において所定の厚さ寸法をもって切り欠かれている。
【００３５】
図５に示すように、切り欠き部１０６には、切り欠き部１０６に連続して傾斜部１０７が形成される。傾斜部１０７は、突出部１０５に連続して形成される。傾斜部１０７は、壁部２０２の内面１０２における突出部１０５のフロントケース（図示せず）側に形成される傾斜面を形成する。傾斜面は、突出部１０５側からフロントケース側に向かうにしたがって壁部２０２の厚さ方向において充電端子部５１の当接面５８から離間するように壁部２０２に対しての角度αをもって傾斜する。角度αは、例えば、２から１０度である。
【００３６】
次に、図８を参照して、充電端子部５１をリアケース２ｂに組み込む場合における組み込み過程について説明する。
図８（Ａ）に示すように、充電端子部５１をリアケース２ｂに組み込む前の状態から、組み込み方向Ｘに充電端子部５１を挿入した場合に、充電端子５０の当接面５８の下端に形成される辺部５８ａが傾斜部１０７に当接する。
【００３７】
図８（Ａ）に示すように、充電端子部５１をリアケース２ｂに組み込む前の状態においては、第１規制部５４は、厚さ方向に圧縮されていない。つまり、第１規制部５４は、充電端子部５１が組み込まれた場合に、充電端子５０をリアケース２ｂの壁部２０２の側面に押圧するように構成されることから、圧縮前においては、充電端子５０の当接面５８は、突出部１０５よりも外面１０１側に配置されるように構成される。
【００３８】
充電端子部５１をリアケース２ｂに組み込む場合には、まず、図８（Ａ）に示す状態から、充電端子部５１を組み込み方向Ｘへ挿入する。
そして、第２規制部５５の端面５５ａをリアケース２ｂの壁部２０２の内面１０２側に配置するように組み込んでいく。この場合、第２規制部５５が、保持部材５２からリアケース２ｂにおける内面１０２側に向かって延びると共に、端面５５ａが充電端子５０の当接面５８よりもリアケース２ｂにおける内面１０２側に突出するように形成されていることから、充電端子部５１のリアケース２ｂの壁部２０２の側面への接触を防止できる。
【００３９】
組み込み方向Ｘへ挿入することにより、図８（Ｂ）に示すように、第１規制部５４としての弾性部材は略厚さ方向に圧縮される。充電端子部５１をリアケース２ｂに形成される傾斜部１０７に沿うように傾かせながら導入できる。
【００４０】
更に、組み込み方向Ｘに挿入することにより、突出部１０５に沿うように壁部２０２の側面に対して平行になるように配置され、最終的には、図８（Ｃ）に示すように、充電端子部５１は連通孔１００の内面穴１０４を含む突出部１０５に押圧される。
このようにして、組み込みが完了する。
【００４１】
以上の構成を有する実施形態によれば、例えば、以下の効果が奏される。
本実施形態においては、図５に示すように、突出部１０５から離間する方向への充電端子部５１の移動を規制する第１規制部５４と、端面５５ａが充電端子部５１における当接面５８よりもリアケース２ｂにおける内面１０２側に突出するように配置される第２規制部５５と、リアケース２ｂの内部側に突出する突出部１０５を備えている。そのため、充電端子部５１は、第１規制部５４により、突出部１０５から離間する方向への移動が規制される。
従って、充電端子５０と内面穴１０４を含む突出部１０５への当接状態を良好にできる。
【００４２】
また、第２規制部５５の端面５９は、充電端子部５１における当接面５８よりもリアケース２ｂにおける内面１０２側に突出している。つまり、第２規制部５５により、充電端子部５１はリアケース２ｂの壁部２０２に接触しないように配置される。
従って、充電端子部５１が壁部２０２に接触することによる組み込み不良を回避できる。
このように、第１規制部５４及び第２規制部５５により、充電端子部５１の配置が規制されることから、充電端子５０と、連通孔１００を含むリアケース２ｂの内面１０２との当接状態を良好にできると共に、充電端子５０のリアケース２ｂへの組み込みが容易である。
【００４３】
また、第１規制部５４は、充電端子部５１を突出部１０５側へ押圧する弾性力を有する弾性部材により構成されている。
従って、図５に示すように、第１規制部５４に反発力としての弾性力を発生させて、充電端子５０を内面穴１０４を含む突出部１０５に良好に押圧させることができる。
【００４４】
また、リアケース２ｂは、突出部１０５に連続して形成される傾斜部１０７を備えている。
従って、充電端子部５１を、組み込み方向Ｘに沿って挿入することで傾斜部１０７に沿って充電端子部５１をスムーズに導入できる。従って、充電端子５０の当接面５８を連通孔１００の内面穴１０４を含む突出部１０５に容易に押圧させることができると共に、組み込み作業が容易である。
また、第１規制部５４を厚さ方向に予め圧縮させておく必要がなく、組み込み方向Ｘへの充電端子部５１の挿入により、第１規制部５４を厚さ方向に圧縮させて、充電端子部５１をリアケース２ｂに容易に組み込むことができる。
【００４５】
特に、本実施形態においては、第１規制部５４には、弾性部材を使用していることから、組み込む前における弾性部材の圧縮前においては、充電端子部５１の当接面５８が突出部１０５よりもリアケース２ｂ側に配置される構成である。従って、傾斜部１０７に沿って容易に組み込むことができるという効果は大きい。
【００４６】
以上、好適な実施形態について説明したが、本発明は上述した実施形態に限定されることなく種々の形態で実施することができる。
【００４７】
また、前述の実施形態においては、充電端子５０がリアケース２ｂの壁部２０２を形成する一方側の側面に当接される場合を例に説明したが、前述のように、携帯電話機１の全体構成において、充電端子５０は、リアケース２ｂの一方の側面と対向する他方の側面（図示せず）にも配置されている。このように、両側面に充電端子部５１を有する構成であっても、充電端子５０のリアケース２ｂの突出部１０５の当接状態を良好できると共に、容易に充電端子５０をリアケース２ｂへ組み込むことができる。
【００４８】
前述の実施形態においては、第１規制部５４を弾性部材から形成しているが、本発明は、これには限定されない。
【００４９】
また、前述の実施形態においては、リアケース２ｂの側面から充電端子５０が露出しているが、これに限定されず、例えば、充電端子５０が露出する位置は、操作部側筐体２の長手方向における連結部４側の端部における側面、操作部側筐体２の背面などの携帯電話機に存在するどの面であってもよい。
【００５０】
また、前述の実施形態は、連結部４により折り畳み可能な携帯電話機１であるが、本発明の携帯電子機器は、これに制限されず、操作部側筐体２と表示部側筐体３との重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターン）式や、操作部側筐体２と表示部側筐体３とが一体的に形成され連結部を有さない型式（ストレートタイプ）でもよい。
【００５１】
また、前述の実施形態は、本発明の携帯電子機器を携帯電話機に適用しているが、本発明は、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等に適用することができる。
【図面の簡単な説明】
【００５２】
【図１】携帯電話機１を開いた状態における外観斜視図を示す図である。
【図２】操作部側筐体に内蔵される部材の部分分解斜視図である。
【図３】操作部側筐体に内蔵される部材を内蔵した状態における部分斜視図である。
【図４】図３を上面側から視た平面図である。
【図５】図４のＡ−Ａ線断面図である。
【図６】図４のＢ−Ｂ線断面図である。
【図７】リアケース部材を内面側から視た斜視図である。
【図８】（Ａ）から（Ｃ）は操作部側筐体に内蔵される部材を組み込む過程を示す断面図である。
【符号の説明】
【００５３】
１  携帯電話機（携帯電子機器）
２  操作部側筐体（筐体、カバー部材）
２ｂ  カバー部材
３  表示部側筐体（筐体、カバー部材）
５０  充電端子（接続端子）
５１  充電端子部（接続端子部）
５４  第１規制部
５５  第２規制部
５５ａ  端面
５８  当接面
１００  連通孔
１０１  外面
１０２  内面
１０３  外面穴
１０４  内面穴
１０５  突出部
１０７  傾斜部
２０２  壁部
【図１】
2010154202.tif 000003
【図２】
2010154202.tif 000004
【図３】
2010154202.tif 000005
【図４】
2010154202.tif 000006
【図５】
2010154202.tif 000007
【図６】
2010154202.tif 000008
【図７】
2010154202.tif 000009
【図８】
2010154202.tif 000010